(57)【要約】【課題】  ロッドレンズアレイ原板からロッドレンズアレイを効率良く得ることができるロッドレンズアレイ原板の切断装置等を提供すること。【解決手段】  本発明のロッドレンズアレイ原板の切断装置は、ロッドレンズが外部に露出した露出ロッドレンズ部を介して複数のロッドレンズアレイが連結されているロッドレンズアレイ原板１の切断装置であって、ロッドレンズアレイ原板を複数枚、収容する原板収容部２２と、原板収容部に収容されているロッドレンズアレイ原板を、一枚ずつステージ２４に移送する移送機構と、ステージ上に載置されたロッドレンズアレイ原板の複数の露出ロッドレンズ部を同時に切断する切断手段２８と、ステージを切断手段に向けて移動させる移動機構３０と、を備えている。【選択図】      図１
2007052361.tif 000002
【特許請求の範囲】
【請求項１】
ロッドレンズが外部に露出した露出ロッドレンズ部を介して複数のロッドレンズアレイが連結されているロッドレンズアレイ原板の切断装置であって、
ロッドレンズアレイ原板を複数枚、収容する原板収容部と、
該原板収容部に収容されているロッドレンズアレイ原板を、一枚ずつステージに移送する移送機構と、
前記ステージ上に載置されたロッドレンズアレイ原板の複数の前記露出ロッドレンズ部を同時に切断する切断手段と、
前記ステージを前記切断手段に向けて移動させる移動機構と、を備えている、
ことを特徴とするロッドレンズアレイ原板の切断装置。
【請求項２】
前記ステージが、前記原板収容部から移送されたロッドレンズアレイ原板を所定位置に位置決めする位置決め手段と、
前記所定位置に位置決めされたロッドレンズアレイ原板を該所定位置に解放可能に固定する固定手段と、を備えている、
請求項１に記載のロッドレンズアレイ原板の切断装置。
【請求項３】
前記位置決め部材が、前記ロッドレンズアレイ原板が前記ステージに載置されたとき、前記ステージに載置されたロッドレンズアレイ原板中のロッドレンズアレイ間の溝に嵌合する爪部を備えている、
請求項２に記載のロッドレンズアレイ原板の切断装置。
【請求項４】
複数のロッドレンズアレイが外部に露出する露出ロッドレンズ部を介して連結されているロッドレンズアレイ原板を切る方法であって、
前記ロッドレンズアレイ原板を原板収容部に収容する工程と、
該原板収容部に収容されている前記ロッドレンズアレイ原板を、一枚ずつステージに移送する工程と、
前記ステージ上に載置された前記ロッドレンズアレイ原板の複数の前記露出ロッドレンズ部を同時に切る工程と、を備えている、
ことを特徴とする方法。
【請求項５】
前記切る工程が、前記露出ロッドレンズ部を完全に切断することなく、該露出ロッドレンズ部の上下に対向する切れ目を入れる工程である、
請求項４に記載の方法。
【発明の詳細な説明】
【技術分野】
【０００１】
本発明は、ロッドレンズアレイ原板を切る装置に関し、詳細には、ロッドレンズアレイが露出したロッドレンズ部分によって「すのこ」状に連結されているロッドレンズアレイ原板で隣接するロッドレンズアレイ間で露出したロッドレンズ部分を切る装置に関する。
【背景技術】
【０００２】
多数の屈折率分布型ロッドレンズが２枚の基板間に配列されているロッドレンズアレイが、複写機器、電子黒板、ファクシミリなどの光学部品として利用されている。このようなロッドレンズアレイを、迅速かつ歩留まり良く製造する方法として、所定長に切断した多数のロッドレンズ材を並列状態に配列し、これらのロッドレンズ材列の長手方向に間隔をおいた複数箇所でロッドレンズ材の両側に基板を配置・固定し、複数のロッドレンズアレイが隣接するロッドレンズアレイ間で露出しているロッドレンズ列によって「すのこ」状に連結されているロッドレンズアレイ原板を製造する方法が知られている。この製造方法では、隣接するロッドレンズアレイ間で露出している部分（露出ロッドレンズ部）でロッドレンズ材を切断することにより、単体のロッドレンズアレイを得ている（特許文献１参照）。
【０００３】
【特許文献１】特開昭６３−２２６６１９号公報
【発明の開示】
【発明が解決しようとする課題】
【０００４】
このような製造方法では、ロッドレンズアレイ原板に複数箇所、形成されている露出ロッドレンズ部を、一カ所ずつ順次、手作業で切断していくことにより、ロッドレンズアレイ原板からロッドレンズアレイを一枚ずつ切り出しているため、作業効率が悪いという問題があった。
【０００５】
本発明は、このような問題を解決するためになされたものであり、ロッドレンズアレイ原板からロッドレンズアレイを効率良く得ることができるロッドレンズアレイ原板の切断装置等を提供することを目的としている。
【課題を解決するための手段】
【０００６】
本発明によれば、ロッドレンズが外部に露出した露出ロッドレンズ部を介して複数のロッドレンズアレイが連結されているロッドレンズアレイ原板の切断装置であって、ロッドレンズアレイ原板を複数枚、収容する原板収容部と、該原板収容部に収容されているロッドレンズアレイ原板を、一枚ずつステージに移送する移送機構と、前記ステージ上に載置されたロッドレンズアレイ原板の複数の前記露出ロッドレンズ部を同時に切断する切断手段と、前記ステージを前記切断手段に向けて移動させる移動機構とを備えていることを特徴とするロッドレンズアレイ原板を切断装置が提供される。
【０００７】
このような構成によれば、ロッドレンズアレイ間に位置する複数の露出ロッドレンズ部を同時に切断することができるので、ロッドレンズアレイ原板からロッドレンズアレイを効率良く得ることができる。なお、本発明において、切断とは切れ目を形成することも含む。
【０００８】
本発明の他の好ましい態様によれば、前記ステージが、前記原板収容部から移送されたロッドレンズアレイ原板を所定位置に位置決めする位置決め手段と、前記所定位置に位置決めされたロッドレンズアレイ原板を該所定位置に解放可能に固定する固定手段と、を備えている。
このような構成によれば、ロッドレンズアレイ原板がステージ上の所定位置に確実に配置され、その状態が維持されるので、正確に露出ロッドレンズ部を切ることができる。
【０００９】
本発明の他の好ましい態様によれば、前記位置決め手段が、前記ステージから上方に突出し前記切る手段方向に向かって延びる位置決め部材を備えている。
このような構成によれば、ロッドレンズアレイ原板が切断手段に向かって移動する際、この位置決め部材によって案内されるので、ロッドレンズアレイ原板を切断手段に対して正確に移動させることができる。すなわち、位置決め部材は位置決め機能に加え、ガイド機能を発揮することになる。
【００１０】
本発明の他の好ましい態様によれば、前記位置決め部材が、前記ロッドレンズアレイ原板が前記ステージに載置されたとき、前記ステージに載置されたロッドレンズアレイ原板中の隣接するロッドレンズアレイ間の溝に嵌合する爪部を備えている。
このような構成によれば、ロッドレンズアレイ原板の隣接するロッドレンズアレイ間の溝に、爪部が嵌合するので、ロッドレンズアレイ原板のステージに対するより正確な位置決めおよびガイドが可能となる。
【００１１】
本発明の他の好ましい態様によれば、前記切断手段が、所定間隔で並列配置された複数枚の円盤刃を備えている。
本発明の他の好ましい態様によれば、前記円盤刃が、上下に対向して一対設けられている。
【００１２】
本発明の他の好ましい態様によれば、前記一対の円盤刃が、前記露出ロッドレンズ部を完全に切断することなく、該露出ロッドレンズ部の上下に対向する切れ目を入れるような間隔で対向して配置されている。
本発明の他の好ましい態様によれば、前記一対の円盤刃が、前記露出ロッドレンズ部を完全に切断するような間隔で対向して配置されている。
【００１３】
本発明の他の態様によれば、複数のロッドレンズアレイが外部に露出する露出ロッドレンズ部を介して連結されているロッドレンズアレイ原板を切る方法であって、前記ロッドレンズアレイ原板を原板収容部に収容する工程と、該原板収容部に収容されている前記ロッドレンズアレイ原板を、一枚ずつステージに移送する工程と、前記ステージ上に載置されたロッドレンズアレイ原板の複数の前記露出ロッドレンズ部を同時に切る工程と、を備えていることを特徴とする方法が提供される。
【００１４】
本発明の他の好ましい態様によれば、前記切る工程が、前記露出ロッドレンズ部を完全に切断することなく、該露出ロッドレンズ部の上下に対向する切れ目を入れる工程である。
【発明の効果】
【００１５】
本発明によれば、ロッドレンズアレイ原板からロッドレンズアレイを効率良く得ることができるロッドレンズアレイ原板の切断装置等が提供される。
【発明を実施するための最良の形態】
【００１６】
以下、添付図面を参照して本発明の好ましい実施形態のロッドレンズアレイ原板を切る装置について説明する。図１は、本発明の好ましい実施形態のロッドレンズアレイ原板１を切る装置２０の斜視図であり、図２は、ロッドレンズアレイ原板１の斜視図である。
【００１７】
図２に示されているように、ロッドレンズアレイ原板１は、複数のロッドレンズアレイ２が外部に露出する露出ロッドレンズ部４を介して「すのこ状」に連結されているものである。このようなロッドレンズアレイ原板１を露出ロッドレンズアレイ部４で点線で示すように切り離し、端面処理することにより、図３に示されているような、２枚の基板６、６の間に、多数の円筒状のプラスチック製ロッドレンズ８が一列に配置され接着剤で固定されているロッドレンズアレイ２が得られる。本実施形態のロッドレンズアレイ原板を切る装置２０は、この切り離し作業において使用される装置である。
【００１８】
ロッドレンズアレイ原板１は、基板６の幅の数倍から十数倍（本実施形態では１４倍弱）の長さを有しロッドレンズ８を構成することになるロッドレンズ材１０を並列配置し、その長手方向に間隔をおいた複数箇所（例えば１３カ所）で、ロッドレンズ列の幅方向に延びる基板６、６の対で両側から挟み、基板６、６を接着剤によってロッドレンズ材１０に固定することによって製造されたものである。
【００１９】
本実施形態では、ロッドレンズ材１０として、屈折率分布型のプラスチック製光伝送体が用いられている。本実施形態では、ロッドレンズの径の範囲は、例えば、約０．１ｍｍ乃至１．０ｍｍ程度であり、隣接するロッドレンズアレイ２間の距離は、０．６ｍｍ程度に設定されている。
【００２０】
本実施形態のロッドレンズアレイ原板を切る装置２０は、ロッドレンズアレイ原板１の隣接するロッドレンズアレイ２間の溝の部分で露出している露出ロッドレンズ部４に切れ目を入れ、作業者がロッドレンズアレイ原板１を露出ロッドレンズ部４で軽く折り曲げるだけでロッドレンズアレイ原板１中のロッドレンズ材１０が露出ロッドレンズ部４で折れ、ロッドレンズアレイ原板１から各ロッドレンズアレイ２を分離することができるようにする装置である。
以下、ロッドレンズアレイ原板を切る装置２０の構成を詳細に説明する。図４は、装置２０の正面図（図１の矢印ＶＩ方向からの見た図）であり、図５は、装置２０の右側面図（図１の矢印Ｖ方向からの見た図）であり、図６は、装置２０の平面図である。
【００２１】
ロッドレンズアレイ原板１を切る装置２０は、図１、図４ないし図６に示されているように、処理前のロッドレンズアレイ原板１を複数枚、収容する原板収容部２２と、原板収容部２２に収容されているロッドレンズアレイ原板１を、一枚ずつステージ２４に移送する移送機構２６と、ステージ２４上に載置されたロッドレンズアレイ原板１の複数の露出ロッドレンズ部４に同時に切れ目を入れる切れ目形成装置２８と、ステージ２４を切れ目形成装置２８に向けて移動させる移動機構３０とを備えている。
【００２２】
原板収容部２２は、一側端がステージ２４に隣接しこれに沿うように配置された直方体状の受け部３２を備えている。受け部３２は、上方に向かって開放する箱状の形態を有し、ステージ２４に隣接する一端側が低くなるように、傾斜して配置されている。
図１、図５および図６に示されているように、受け部３２は、複数枚のロッドレンズアレイ原板１を、ロッドレンズアレイ２の長手方向が水平方向に延びるように立てた状態で並べて収容することができる寸法形状を有している。受け部３２の底部には、左右一つのレール３４、３４がステージ２４に向かって延びるように取付けられている。レール３４は、摩擦係数が低い樹脂等で構成されているのが好ましい。
【００２３】
また、受け部３２の左右の側壁３６、３６のステージ２４に隣接する一端側部分には、押さえ部材３８、３８が、それぞれ、取付けられている。押さえ部材３８は、受け部３２の側壁３６から上方に向かって延び、受け部３２に収容されるロッドレンズアレイ原板１の上端の高さ位置で、受け部３２の内方に向かって折れ曲がる略逆「Ｌ字」形状を有している。押さえ部材３８の内方に向かって折れ曲がる部分は、受け部３２に収容された複数枚のロッドレンズアレイ原板１のうち、前から２番目から数番目（例えば１０番目）までロッドレンズアレイ原板１０の上端の上方に位置するように構成されている。したがって、受け部３２に収容された複数枚のロッドレンズアレイ原板１の先頭（最もステージ側）のロッドレンズアレイ原板１の上方には、押さえ板３８の内方に向かって折れ曲がる部分は、存在しない。
【００２４】
受け部３２は、振動装置４２を介してベース４０に取付けられている。振動装置４２は、受け部３２を小刻みに振動させるものである。振動装置４２は、公知の振動機構により構成されている。
さらに、受け部３２内に配置された複数のロッドレンズアレイ原板１の後側には、金属製の円柱部材４３が配置されている。この円柱部材４３は、受け部３２の傾斜によって、ステージ２４方向に付勢され、受け部３２内に配置された複数のロッドレンズアレイ原板１をステージ２４方向に押付けている。
【００２５】
本実施形態の装置２０では、振動装置４２による振動と受け部の傾斜と円柱部材４３とにより、受け部３２内に立てた状態で収容されている複数のロッドレンズアレイ原板１は、レール３４上を矢印Ａ方向に滑り落ち、ステージ２４側に確実に寄せ集められる。
【００２６】
移送機構２６は、受け部３２に収容された複数のロッドレンズアレイ原板１の先頭のロッドレンズアレイ原板１を、ステージ２４上に移動させる機構であり、受け部３２の一端（下端）の下方に配置されている。
移送機構２６は、上下方向に配向されたエアシリンダ４４と、このエアシリンダ４４に連結された突き出し板４６とを備えている。この突き出し板４６は、エアシリンダ４４によって、受け部３２に収容された複数のロッドレンズアレイ原板１の先頭のロッドレンズアレイ原板１の真下に位置する下方（待避）位置と、先頭のロッドレンズアレイ原板１が位置している上方（突出）位置との間を上下動するように構成されている。
【００２７】
突き出し板４６が下方位置から上方位置に向かって上方に移動すると、受け部３２に収容された複数のロッドレンズアレイ原板１のうちの先頭のロッドレンズアレイ原板１が上方に移動してきた突き上げ板４６によって下方から斜め上方に向かって押し上げられて、受け部３２から外方に押し出される。そして、押し出されたロッドレンズアレイ原板１は、その下端を中心に上端が図５に点線で示す軌跡を描くように矢印Ｂ方向に回転しながらステージ２４に向けて落下することにより、ステージ２４上に移送される。
【００２８】
ステージ２４は長方形状の載置台であり、原板収容部２２の受け部３２の一端（下端）に沿って、後述する切れ目形成装置２８の回転刃の回転軸線と直交する方向に延びるように配置されている。また、ステージ２４は、後述する移動機構３０によって、切れ目形成装置２８に向けて回転刃の回転軸線と直交する方向に往復動するように構成されている。
【００２９】
図７および図８に示されているように、ステージ２４には、中央部に複数の吸引孔４８が形成されている。各吸引孔４８は、図示しない吸引装置に接続され、吸引装置の作動により、ステージ２４に載置されたロッドレンズアレイ原板１をステージ２４の表面に対して吸着固定することができるように構成されている。
【００３０】
ステージ２４の表面の後端側には、載置されるロッドレンズアレイ原板１の後端面に当接し、ステージ２４上でのロッドレンズアレイ原板１の前後方向の位置決めを行う後端決めブロック５０が取付けられている。
また、ステージ２４の両側端部の前後には、載置されるロッドレンズアレイ原板１の側端面に当接し、ステージ２４上でのロッドレンズアレイ原板１の幅方向の位置決めを行う側端決め部材５２が設けられている。側端決め部材５２は、ステージ２４の両側端に沿って延びる突起として形成されている。
【００３１】
さらに、ステージ２４の表面の両側部の前後には、ステージ２４の前後方向に延びる爪部５４が、設けられている。爪部５４は、ステージ２４の長手方向（切れ目形成装置２８の回転刃の回転軸線と直交する方向）に延びるように配置され、ステージ２４に載置されたロッドレンズアレイ原板１の隣接するロッドレンズアレイ２、２間の溝に緩く嵌合するように構成されている。
【００３２】
ステージ２４には、図示しない振動機構が設けられ、ステージ２４上に落下してきたロッドレンズアレイ原板１がステージ２４の表面に位置決めできるように構成されている。
【００３３】
ステージ２４には、上方に向かって延びるガイド壁２９が設けられている。ガイド壁２９は、ステージ２４の原板収容部２２と反対側の側端から上方に向かって延び、上端部が外方（原板収容部２２と反対方向）に向かって折れ曲がり斜め上方に延びている。
【００３４】
ステージ２４は、図９および図１０に示されているように、下方に配置された移動機構３０によって、切れ目形成装置２８に向かって往復動することができるように構成されている。
【００３５】
この移動機構３０は、図示しないエアシリンダ等によって、ステージ２４を、後方位置（図９）と前方位置（図１０）との間で往復動させる。後方位置は、原板収容部２２の受け部３２から押し出された先頭のロッドレンズアレイ原板１が落下してくる位置であり、この位置で、ステージ２４に受け部３２からロッドレンズアレイ原板１が載置される。前方位置は、ステージ２４に載置されたロッドレンズアレイ原板１の先端が切れ目形成装置２８に挟持される位置であり、ロッドレンズアレイ原板１を載置したステージ２４をこの位置に配置することにより、切れ目形成装置２８による切れ目の形成が開始される。
【００３６】
図１、図５および図６に最も良く示されているように、切れ目形成装置２８は、対となった上下の回転刃５６、５６を備えている。上下の回転刃５６、５６は、同一構造であり、並列配置された複数の円盤刃５８を備えている。円盤刃５８は、ロッドレンズアレイ原板１の露出ロッドレンズ部４と等しい数および間隔をおいて並列状態で配置されている。  また、上下の回転刃５６、５６は、モータを備えた回転駆動装置６０によって、駆動軸６２を中心に矢印Ｃ方向に回転されるように構成されている。
【００３７】
また、各円盤刃５８は、ロッドレンズアレイ原板１の隣接する露出ロッドレンズ部４と略等しい数および間隔で、上下の回転刃５６、５６の対応する各円盤刃５８が上下方向に整列して対向するように配置されている。上下の回転刃５６、５６は、対向する各円盤刃５８の間にロッドレンズアレイ原板１の露出ロッドレンズ部４が配置されたとき、各円盤刃５８が露出ロッドレンズ部４を切断することなく露出ロッドレンズ部４の上下に対向する切れ目を形成するような間隔で、対向して配置されている。
したがって、回転刃５６は、ロッドレンズアレイ原板１の全ての露出ロッドレンズ部４に同時に切れ目を付けることができる。
【００３８】
切れ目形成装置２８の下流側には、回転刃５６の回転駆動軸６２と平行に延びる支持シャフト６４と、切れ目が形成されたロッドレンズアレイ原板１を収容する収納箱６６とが配置されている。
支持シャフト６４は、上下の回転刃５６、５６の略中間の高さ位置で、回転刃５６、５６の駆動機構６０に併設された取付け部６８から延びている。この支持シャフト６４は、取付け部６８に設けられた駆動機構により、先端が上下の回転刃５６、５６の回転刃５６の先端まで先端が延びる突出位置（図１）と、取付け部６８内に収容された引込位置（図示せず）との間で移動可能に構成されている。
【００３９】
次に、本実施形態のロッドレンズアレイ原板を切る装置２０の動作について説明する。
まず、オペレータによって、原板収容部２２の受け部３２に、複数枚のロッドレンズアレイ原板１が、ロッドレンズアレイ２が水平方向に延びるように立てた状態で並べて収容され、さらに、受け部３２内に配置された複数のロッドレンズアレイ原板１の後側に金属製の円柱部材４３が配置される。次いで、振動装置４２を作動させ、受け部３２を小刻みに振動させる。
【００４０】
受け部３２内に立てた状態で収容されている複数のロッドレンズアレイ原板１は、振動装置４２による振動と受け部の傾斜と円柱部材４３とにより、レール３４上をＡ方向に滑り落ち、ステージ２４側に確実に寄せ集められる。受け部３２の一端（下端）部には、先頭のロッドレンズアレイ原板１が、受け部３２の一端（下端）に達したことを検出するセンサ（図示せず）が設けられ、このセンサにより、受け部３２の一端（下端）部に、先頭のロッドレンズアレイ原板１が達したことが検出される。
【００４１】
この状態で、移送機構２６のエアシリンダ４４によって、移送機構２６の突き出し板４６は下方（待避）位置にあった突き出し板４６を、先頭のロッドレンズアレイ原板１が位置する上方（突出）位置へと上昇させる。
突き出し板４６が下方位置から上方位置に向かって上方に移動すると、受け部３２に収容された複数のロッドレンズアレイ原板１の先頭の先頭のロッドレンズアレイ原板１が上方に移動してきた突き上げ板４６によって下方から斜め上方に向かって押し上げられ、受け部３２から外方に押し出される。
【００４２】
そして、押し出されたロッドレンズアレイ原板１は、その下端を中心に上端が図５に点線で示す軌跡を描くように矢印Ｂで示すように回転しながらステージ２４に向けて落下することにより、図９に示されている受け取り（後方）位置に配置されているステージ２４上に移送される。ロッドレンズアレイ原板１は、その先端がガイド壁２９に沿うことによって、確実にステージ２４上に落下する。
【００４３】
このとき、受け部３２に収容された複数枚のロッドレンズアレイ原板１の前から２枚目から数枚のロッドレンズアレイ原板１の上方には、押さえ板３８の内方に向かって折れ曲がる部分が、存在しているので、先頭の一枚のみが、確実に、押し上げられ、ステージ２４に移送される。
【００４４】
突き出し板４６が上方位置に達し、先頭のロッドレンズアレイ原板１が押し出され、ステージ２４上に落下すると、エアシリンダ４４によって突き出し板４６を下方位置に降下させる。突き出し板４６が、上方位置から下方位置に降下すると、当初、受け部３２の傾斜等の作用により、前から２枚目のロッドレンズアレイ原板１が受け部３２内の先頭のロッドレンズアレイ原板１の位置にレール３４上を滑り落ちる。
【００４５】
一方、ガイド壁２９に沿って、ステージ２４上に落下してきた、先頭のロッドレンズアレイ原板１は、ステージ２４の表面で、後端決めブロック５０よって後端が、側端決め部材５２によって両側端がステージ２４に対して所定位置に位置決めされる。さらに、各爪部５４が、ステージ２４に載置されたロッドレンズアレイ原板１の隣接するロッドレンズアレイ２、２間の溝に緩く嵌合することにより、より高い精度で、ロッドレンズアレイ原板１がステージ２４に対して位置決めされる。
このとき、ステージ２４を振動機構で振動させることにより、ロッドレンズアレイ原板１が確実に、後端決めブロック５０、側端決め部材５２、および爪部５４によって位置決めされる。
【００４６】
本実施形態の装置２０では、ロッドレンズアレイ原板２０がステージ２４上に位置決めされると、吸引孔４８に接続されている吸引装置が作動させられ、ステージ２４上で位置決めされたロッドレンズアレイ原板１がステージ２４の表面に吸引・固定される。
【００４７】
真空センサ（図示せず）によりロッドレンズアレイ原板１がステージ２４の表面に固定されたことを確認した後、ステージ２４の下方に配置された移動機構３０が作動され、ステージ２４が受け取り（後方）位置（図９）から、ステージ２４に載置されたロッドレンズアレイ原板１の先端が切れ目形成装置２８の回転する上下の円盤刃５８、５８間に挟持される送り出し（前方）位置（図１０）に移動させられる。
【００４８】
ステージ２４の先端位置を検出するセンサ（図示せず）によって、ステージ２４が送り出し位置に達したことが検出されると、ロッドレンズアレイ原板１のステージ２４への吸引が停止される。ステージ２４が送り出し位置あるときには、ステージ２４に載置されたロッドレンズアレイ原板１は、その先端が切れ目形成装置２８の回転する上下の円盤刃５８、５８間に挟持されているので、円盤刃５８、５８の回転により矢印Ｄ方向にステージ２４上を摺動しながら円盤刃５８、５８の間に送り出される。
【００４９】
各円盤刃５８は、ロッドレンズアレイ原板１の各露出ロッドレンズ部４にそれぞれ対応する位置に配置されているので、ロッドレンズアレイ原板１の全ての露出ロッドレンズ部４に円盤刃５８によって上下から切れ目が形成される。
【００５０】
円盤刃５８によって切れ目が形成されたロッドレンズアレイ原板１の先端部が回転刃５６の下流側に配置された支持シャフト６４によって下方から支持されることにより（図１１）、後端部への切れ目形成が完了するまで、ロッドレンズアレイ原板１は略水平状態に維持される。
ロッドレンズアレイ原板１の後端が、回転刃５６から解放されるのとほぼ同時に、支持シャフト６４が待避位置に後退し、露出ロッドレンズ部４に切れ目が形成されたロッドレンズアレイ原板１は収納箱６６に落下する。
【００５１】
各露出ロッドレンズ部４に切れ目が形成されたロッドレンズアレイ原板１は、露出ロッドレンズ部４で折り曲げることにより、露出ロッドレンズ部４でロッドレンズ材１０が折れ、個々のロッドレンズアレイ２に分離される。その後、ロッドレンズ材１０が露出する端面を研磨等する最終仕上げが行われる。
【００５２】
このような構成を有するロッドレンズアレイ原板を切る装置によれば、ロッドレンズアレイ原板の全ての露出ロッドレンズ部に同時に切れ目を入れることができるので、作業者が手で軽く握ることにより容易に分割でき、作業効率が向上する。
また、上下の円盤刃は、露出ロッドレンズ部４を切断することなく、上下に切れ目を形成する構成であるので、円盤刃同士が接触することがなく、刃の寿命が長くなるという利点、および、ゴミの発生が少ないという利点がある。さらに、切れ目を形成されたシート状で排出できるので、収納箱６６内でかさばりにくい等、切断装置２８を通過後の取扱がしやすいという利点、および刃物のクリアランスの調整が簡単であるという利点もある。
【００５３】
また、露出ロッドレンズ部４に切れ目を入れる際、隣接するロッドレンズアレイ２、２間の溝に円盤刃５８が入った状態で、円盤刃５８の回転によってロッドレンズアレイ原板１が送られる。したがって、円盤刃５８がロッドレンズアレイ原板１の溝に入ることによって、ロッドレンズアレイ原板１の円盤刃５８に対する位置決めが自動的に行われるので、露出ロッドレンズ部に確実に切れ目を形成することができる。
加えて、上記実施形態の切る装置では、刃が使用される一連の処理が人手を介さずに行われるので、安全である。
【００５４】
本発明の前記実施形態に限定されることなく、特許請求の範囲に記載された技術的思想の範囲内で種々の変更、変形が可能である。
【００５５】
上記実施形態では、回転刃が露出ロッドレンズ部に切れ目を形成するのみであったが、上下の回転刃を、露出ロッドレンズ部を完全に切り離すように配置してもよい。
【図面の簡単な説明】
【００５６】
【図１】本発明の好ましい実施形態のロッドレンズアレイ原板を切る装置の斜視図である。
【図２】ロッドレンズアレイ原板の斜視図である。
【図３】ロッドレンズアレイの斜視図である。
【図４】図１の装置の正面図（図１の矢印ＶＩ方向からの見た図）である。
【図５】図１の装置の右側面図（図１の矢印Ｖ方向からの見た図）である。
【図６】図１の装置の平面図である。
【図７】図１の装置のステージの斜視図である。
【図８】図１の装置のステージの平面図である。
【図９】受け取り位置にあるステージと回転刃との関係と示す図面である。
【図１０】送り出し位置にあるステージと回転刃との関係と示す図面である。
【図１１】切れ目形成が、ほぼ完了した時点でのステージと回転刃との関係と示す図面である。
【符号の説明】
【００５７】
１：ロッドレンズアレイ原板
２：ロッドレンズアレイ
４：露出ロッドレンズアレイ部
２０：ロッドレンズアレイ原板を切る装置
２２：原板収容部
２４：ステージ
２６：移送機構
２８：切れ目形成装置
３０：移動機構
３２：受け部
【図１】
2007052361.tif 000003
【図２】
2007052361.tif 000004
【図３】
2007052361.tif 000005
【図４】
2007052361.tif 000006
【図５】
2007052361.tif 000007
【図６】
2007052361.tif 000008
【図７】
2007052361.tif 000009
【図８】
2007052361.tif 000010
【図９】
2007052361.tif 000011
【図１０】
2007052361.tif 000012
【図１１】
2007052361.tif 000013